(57)【要約】      （修正有）【課題】インターホン呼出を外部に持ち出し可能な携帯端末へ通知し、応答を行うインターホンシステムを提供する。【解決手段】インターホンシステム１Ａは、インターホン制御装置を含むイベント情報生成装置２と、イベント情報集約手段と、イベントの発生居住者のユーザ端末に送信するサーバ装置とで構成される。サーバ装置は、居住者のアカウント記憶手段と、アカウントを特定するマッチング手段と、特定されたアカウントのユーザ端末にプッシュ通知を送信するプッシュ通知手段と、を備える。ユーザ端末は、受信したプッシュ通知に基づいて、イベント情報集約手段と直接接続することを要求するセッション要求手段を備える。イベント情報集約手段は、取得したセッション要求に基づいて、ユーザ端末に前記イベント情報を送信することが可能なセッションを生成するセッション生成手段と、ユーザ端末にイベント情報を送信する情報送信手段と、を備える。【選択図】図１
2019165370.tif 000002
【特許請求の範囲】
【請求項１】
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者のアカウントであって、前記居室番号が関連付けられているアカウントを記憶している記憶手段と、
前記イベント情報集約手段から前記イベント情報に関連付けられている前記居室番号を取得して、当該取得した居室番号に基づいて、前記プッシュ通知を送信すべき前記居住者のアカウントを特定するマッチング手段と、
特定された前記アカウントの前記ユーザ端末に前記プッシュ通知を送信するプッシュ通知手段と、を備え、
前記ユーザ端末は、
前記サーバ装置から受信した前記プッシュ通知に基づいて、前記イベント情報集約手段と直接接続することを要求するセッション要求手段を備え、
前記イベント情報集約手段は、
前記ユーザ端末から取得したセッション要求に基づいて、前記ユーザ端末に前記イベント情報を送信することが可能なセッションを生成するセッション生成手段と、
前記セッション生成後、前記ユーザ端末に前記イベント情報を送信する情報送信手段と、を備える
インターホンシステム。
【請求項２】
前記ユーザ端末と前記イベント情報集約手段とはＰ２Ｐ型の通信ネットワークで接続される請求項１記載のインターホンシステム。
【請求項３】
前記イベント情報生成装置は、
インターホン機能を備える住設備である集合玄関機、荷受用ボックス装置、緊急通報を発信する緊急通報設備、防犯設備から一又は複数が選択される
請求項１又は２記載のインターホンシステム。
【請求項４】
前記ユーザ端末は、前記Ｐ２Ｐ型の通信ネットワークを介して前記住設備を操作する操作手段を備え、
前記イベント情報集約手段は、前記ユーザ端末の前記操作手段による前記住設備の操作指示を、前記前記イベント情報生成装置に送信する操作指示手段を備える
請求項２又は３記載のインターホンシステム。
【請求項５】
前記サーバ装置の前記記憶手段は、前記居住者の属性に対応した広告情報を記憶しており、
前記サーバ装置は、前記マッチング手段によって特定された前記居住者のアカウントの前記ユーザ端末に送信する前記プッシュ通知に、前記居住者の属性に対応した前記広告情報を付帯させて前記ユーザ端末に送信する広告情報作成手段を備える
請求項１〜４の何れか一項に記載のインターホンシステム。
【発明の詳細な説明】
【技術分野】
【０００１】
この発明はインターホンシステムに関する。
【背景技術】
【０００２】
従来、インターホンシステムについて種々提案されている。特許文献１には、インターホンなどの通信機器において、応答する前に通信相手を確認できる通信システムが提案されている。
【先行技術文献】
【特許文献】
【０００３】
【特許文献１】特許第６１８６０６６号
【発明の概要】
【発明が解決しようとする課題】
【０００４】
現在、生活に密着する機器をインターネットに接続し、機器からのデータを収集・利用し、利便性を向上するＩｏＴ（Ｉｎｔｅｒｎｅｔ  ｏｆ  Ｔｈｉｎｇｓ）への動きが加速している。各家庭へのＩｏＴ化は種々のメーカー等が手掛けているが、マンションへの切り口とする商材開発について、潜在マーケットの中で開拓の余地がある。
【０００５】
また、従来のインターホンシステムにおいては下記のように改善すべき点が挙げられる。
【０００６】
１．現在インターホンと連携していない他の住設備への対応
例えば、エレベーター・各住戸向け宅配ＢＯＸ・スマートロック、今後マンションに導入される機器とどのように連携するかが課題となっている。
【０００７】
２．通信量の増加への対策
連携する機器が増える、利用者が増える事により際限なく通信トラフィックが増加するサービスでは、昨今の大手キャリアの輻輳問題、電力使用量等、社会インフラに対して親和性を持たないことが課題となっている。
【０００８】
３．日常に根差したサービス設計
情報共有のためのポータルサイト等、マンション向けサービスは日常的に利用されないことが課題となっている。
【０００９】
４．セキュリティへの配慮
通信経路でのデータの安全性に加え、引越しに伴う正常なアカウント停止が行われない状態（外部からインターホン応答ができてしまう状態）への配慮が課題となっている。
【００１０】
この発明は、インターホン呼出を外部に持ち出し可能な携帯端末へ通知し、応答を行うインターホンシステムを提供することを目的とする。
【課題を解決するための手段】
【００１１】
［１］
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者のアカウントであって、前記居室番号が関連付けられているアカウントを記憶している記憶手段と、
前記イベント情報集約手段から前記イベント情報に関連付けられている前記居室番号を取得して、当該取得した居室番号に基づいて、前記プッシュ通知を送信すべき前記居住者のアカウントを特定するマッチング手段と、
特定された前記アカウントの前記ユーザ端末に前記プッシュ通知を送信するプッシュ通知手段と、を備え、
前記ユーザ端末は、
前記サーバ装置から受信した前記プッシュ通知に基づいて、前記イベント情報集約手段と直接接続することを要求するセッション要求手段を備え、
前記イベント情報集約手段は、
前記ユーザ端末から取得したセッション要求に基づいて、前記ユーザ端末に前記イベント情報を送信することが可能なセッションを生成するセッション生成手段と、
前記セッション生成後、前記ユーザ端末に前記イベント情報を送信する情報送信手段と、を備える
インターホンシステムである。
【発明の効果】
【００１２】
この発明によれば、インターホン呼出を外部に持ち出し可能な携帯端末へ通知し、応答を行うインターホンシステムを提供することができる。
【図面の簡単な説明】
【００１３】
【図１】本発明の実施形態の構成の一例を表す図
【図２】本発明の実施形態の構成の他の例を表す図
【図３】本発明の実施形態による処理の一例を表すフロー図
【発明を実施するための形態】
【００１４】
以下、添付図面を参照して、アパート、マンション、等の集合住宅に適用されるインターホンシステムの一例を説明する。
【００１５】
［インターホンシステムの構成］
本実施形態のインターホンシステムは、一例として、マンション共用部及び／又は各住戸に設置されるインターホン装置などのイベント情報生成装置で生成される、各住戸を特定する情報に関連付けられているイベント情報を、マンション共用部又はクラウド上に設置されるイベント情報集約手段に集約し、前記イベント情報集約手段に集約された前記イベント情報に関連付けられている前記住戸の居住者が使用するユーザ端末に、サーバ装置を介してプッシュ情報を届け、当該ユーザ端末と前記イベント情報集約手段との間で前記サーバを介さずに情報の送受信を行うシステムとしている。
【００１６】
図１に例示するインターホンシステム１Ａは、イベント情報生成装置２と、イベント情報集約手段９と、サーバ装置１２と、ユーザ端末１３とによって構成されている。イベント情報生成装置２は、例えば、マンション共用部に設置される。イベント情報集約手段９は、イベント情報生成装置２が生成するイベント情報を集約する。イベント情報集約手段９は、本実施形態のインターホンシステムを提供するサービス提供者が設置するもので、イベント情報生成装置２が配備されているマンションの共用部や、クラウド上に設置される。ユーザ端末１３は、イベント情報生成装置２が配備されているマンションの各住戸の居住者が使用する携帯端末である。サーバ装置１２は、通信ネットワークを介してイベント情報集約手段９及びユーザ端末１３とそれぞれ接続されるものである。イベント情報集約手段９と同じく、本実施形態のインターホンシステムを提供するサービス提供者が通信ネットワーク上に設置する形態にすることができる。
【００１７】
イベント情報集約手段９、サーバ装置１２は、例えば、コンピュータから構成することができる。この場合、いずれも、図示していないが、オペレーティングシステムや、インストールあるいはダウンロードした所定のコンピュータプログラムなどに従って、この実施形態のシステムの各種の機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、更に、ユーザインターフェース、無線通信インターフェースなどを備えていて、これらが必要なバスラインで接続されている構成になっている。
【００１８】
ユーザ端末１３は、スマートフォン、タブレット端末、携帯電話機、等、通信ネットワークを介した、イベント情報集約手段９、サーバ装置１２との間での通信機能を備える端末である。
【００１９】
イベント情報生成装置２は、各住戸に居住する居住者に対するイベントの発生についての情報を生成する装置である。図１に示すイベント情報生成装置２は、マンションのエントランスに設置され来訪者が居住者を呼び出して通話するための集合玄関機３、居住者が留守中に当該居住者への荷物を預かる荷受用ボックス装置４、火災報知機、ガス警報器、水漏れ警報器、緊急地震速報受信装置、等の緊急通報を発信する緊急通報設備５、防犯カメラ等を含む防犯設備６、等のマンション共用部に設置され、インターホン機能を備える各種住設備がインターホン制御装置７に接続された構成となっている。
【００２０】
イベント情報生成装置２は、集合玄関機３、荷受用ボックス装置４、緊急通報設備５、防犯設備６などの前記住設備が作動することによって居室番号が関連付けられた種々のイベント情報を生成する。
【００２１】
集合玄関機３においては、図示していない居室を選択して呼出操作を行う操作部で居室番号を入力することで、居住者に対する来訪者の呼出についてのイベント情報であって、居室番号が関連付けられたイベント情報が生成される。このイベント情報には、集合玄関機３が備えるカメラ３ｃが撮影する前記来訪者を含むエントランスの映像が含まれていてもよい。
【００２２】
集合玄関機３に非接触キーリーダ３ｄが内蔵されている場合においては、非接触キーリーダ３ｄが非接触キーを読み取ってオートロックの解錠が行われると、オートロックの解錠についてのイベント情報であって、居室番号が関連付けられたイベント情報が生成される。このイベント情報には、集合玄関機３が備えるカメラ３ｃが撮影した前記非接触キー所持者（例えば家族）の静止画像が含まれていてもよい。
【００２３】
荷受用ボックス装置４においては、図示していない居室を選択して収容部の開閉操作を行う操作部で居室番号及び収容部の番号を入力することで、荷物の預入についてのイベント情報であって、居室番号及び収容部の番号が関連付けられたイベント情報が生成される。
【００２４】
緊急通報設備５においては、火災報知機、ガス警報器、水漏れ警報器が作動し、緊急地震速報受信装置が緊急地震速報を受信すると、居住者に対する緊急通報についてのイベント情報であって、居室番号が関連付けられたイベント情報が生成される。このイベント情報は全住戸の居住者が対象となる。
【００２５】
防犯設備６においては、防犯設備が作動すると、防犯設備作動についてのイベント情報であって、居室番号が関連付けられたイベント情報が生成される。このイベント情報には、図示していない防犯カメラ、Ｗｅｂカメラ等が撮影した防犯対象等の動画、静止画が含まれていてもよい。
【００２６】
生成された上記の各種イベント情報は、インターホン制御装置７の制御処理によって住戸インターホン装置８及びイベント情報集約手段９に出力される。
【００２７】
イベント情報集約手段９は、イベント情報生成装置２から上記のようなイベント情報を取得して集約する。イベント情報集約手段９は、物理的なハードウェアで構成することや、クラウド上に構築されたサーバから利用する形態とすることができる。図１に示す形態では、物理的なハードウェアで構成してイベント情報生成装置２と接続している。また、イベント情報集約手段９は、ルータ１０によりインターネット通信網、無線通信規格で定められている無線通信網、等の通信ネットワーク１１ａ、１１ｂを介してサーバ装置１２及びユーザ端末１３と通信可能に接続されている。
【００２８】
イベント情報集約手段９は情報送受信手段９ａ、セッション生成手段９ｂ、住設備操作指示手段９ｃを備えている。
【００２９】
情報送受信手段９ａは、イベント情報生成装置２、サーバ装置１２、ユーザ端末１３それぞれと情報の送受信を行う。
【００３０】
セッション生成手段９ｂは、後述するユーザ端末１３から取得したセッション要求に基づいて、ユーザ端末１３に前記イベント情報を送信することが可能なセッションを生成する。
【００３１】
住設備操作指示手段９ｃは、後述するユーザ端末１３によるイベント情報生成装置２の操作指示を、イベント情報生成装置２に送信する処理を行う。
【００３２】
サーバ装置１２は、上記の各種イベントの発生を伝えるプッシュ通知を、通信ネットワークを介してユーザ端末１３に送信する機能を備える装置である。サーバ装置１２は通信ネットワーク１１ａを介してユーザ端末１３と通信可能に接続されている。
【００３３】
サーバ装置１２は、前記居住者のアカウントであって、前記住戸に割り当てられている居室番号が関連付けられているアカウントを記憶している記憶手段１２ａを備えている。この記憶手段１２ａはデータベースサーバ等の物理的なハードウェアで構成することができる。
【００３４】
記憶手段１２ａに記憶される前記居住者のアカウントは、ユーザ端末１３によって入力、設定される前記居住者の情報、居室番号、当該ユーザ端末１３についての情報、等が含まれる。
【００３５】
また、記憶手段１２ａは、前記居住者の属性に応じた広告情報を記憶している。この広告情報は、前記居住者の性別、年齢、職業、居住地、等の属性に関連付けられる種々の広告情報であって、図示していない広告掲載を希望する事業者が使用する端末からサーバ装置１２へ送信される。
【００３６】
サーバ装置１２は、イベント情報集約手段９から前記の各種イベント情報に関連付けられている居室番号に関する情報を取得して、当該情報に含まれている前記居室番号に基づいて、前記プッシュ通知を送信すべき前記居住者のアカウントを特定するマッチング手段１２ｂを備えている。このマッチング手段１２ｂは認証サーバ等の物理的なハードウェアで構成することができる。
【００３７】
マッチング手段１２ｂは、イベント情報集約手段９から取得した前記各種のイベント情報に関連付けられている居室番号と一致する居室番号を含む前記居住者のアカウントを記憶手段１２ａから取得する。これにより、上記の各種イベントの発生を伝えるプッシュ通知を送信すべき前記居住者のアカウントを特定することになる。
【００３８】
サーバ装置１２は、特定された前記アカウントのユーザ端末１３に前記プッシュ通知を送信するプッシュ通知手段１２ｃを備えている。このプッシュ通知手段１２ｃはプッシュサーバ等の物理的なハードウェアで構成することができる。
【００３９】
プッシュ通知手段１２ｃは、特定された前記居住者のアカウントのユーザ端末１３に前記プッシュ通知を送信するので、当該ユーザ端末１３を使用する前記居住者は上述した来訪者の呼出等のイベントの発生を知ることになる。
【００４０】
サーバ装置１２は、マッチング手段１２ｂによって特定された前記居住者のアカウントのユーザ端末１３に送信する前記プッシュ通知に、前記居住者の属性に対応した前記広告情報を付帯させてユーザ端末１３に送信する広告情報作成手段１２ｄを備えている。
【００４１】
ユーザ端末１３には、前記プッシュ通知が表示される際に、ユーザ端末１３を使用する前記居住者の上述した属性に関連付けられている種々の広告情報が表示される。
【００４２】
ユーザ端末１３は、ルータ１０により通信ネットワーク１１ｂを介してイベント情報集約手段９と通信可能に接続されている。この通信ネットワーク１１ｂについて、本実施形態ではブラウザでリアルタイムなコミュニケーションを可能にするＷｅｂＲＴＣを使用したＰ２Ｐ型の通信ネットワークを採用している。
【００４３】
ユーザ端末１３は、サーバ装置１２から受信した前記プッシュ通知に基づいて、イベント情報集約手段９と直接接続することを要求するセッション要求手段を備えている。本実施形態では、ユーザ端末１３に本実施形態によるインターホンシステムのアプリケーション１４が配備されており、アプリケーション１４の実行によって前記ＷｅｂＲＴＣを使用したＰ２Ｐ型の通信ネットワーク１１ｂを介してイベント情報集約手段９との間で直接情報の送受信が可能となっている。
【００４４】
このアプリケーション１４は、サーバ装置１２から前記プッシュ通知を取得して、集合玄関機３を介して来訪者と通話を行うための通話手段１４ａ、前記イベント情報を閲覧するための情報閲覧手段１４ｂ等の、イベント情報集約手段９に種々の処理動作を要求するセッション要求手段や、集合玄関機３のオートロックの解錠、荷受用ボックス装置４の開閉、等の住設備との間で情報の送受信を行い、前記住設備を操作するための住設備操作手段１４ｃとしてユーザ端末１３を機能させるアプリケーションプログラムである。
【００４５】
アプリケーション１４が通話手段１４ａ、情報閲覧手段１４ｂ等の前記セッション要求手段としてユーザ端末１３を機能させることで、イベント情報集約手段９に種々の処理動作を行うためのセッションを要求する。
【００４６】
例えば、ユーザ端末１３がサーバ装置１２から前記プッシュ通知を受け、前記居住者が前記来訪者と通話するため、アプリケーション１４におけるインターフェース上で通話を選択することで、アプリケーション１４が通話手段１４ａとしてユーザ端末１３を機能させ、イベント情報集約手段９にアクセスして集合玄関機３を介して来訪者と通話処理を行うためのセッションを要求する。
【００４７】
また、ユーザ端末１３がサーバ装置１２から前記プッシュ通知を受け、前記居住者が前記荷物の預入についてのイベント情報や、緊急通報設備５による緊急通報についてのイベント情報、等を取得するため、アプリケーション１４におけるインターフェース上でＵＲＬ等の情報掲載先を選択することで、アプリケーション１４が情報閲覧手段１４ｂとしてユーザ端末１３を機能させ、イベント情報集約手段９にアクセスして情報閲覧処理を行うためのセッションを要求する。
【００４８】
イベント情報集約手段９のセッション生成手段９ｂは、ユーザ端末１３から取得した前記セッション要求に基づいて、ユーザ端末１３に前記イベント情報を送信することが可能なセッションを生成し、ユーザ端末１３との間でＰ２Ｐによるセッションを確立する。
【００４９】
前記セッション確立後、イベント情報集約手段９の情報送受信手段９ａは、ユーザ端末１３に前記イベント情報を送信する。
【００５０】
ユーザ端末１３では、前記セッション要求に応じた前記イベント情報を取得する。通話手段１４ａによるセッション要求に対しては、例えば集合玄関機３が備えるカメラ３ｃが撮影している前記来訪者を含むエントランスの映像が含まれているイベント情報を取得する。前記居住者はユーザ端末１３とイベント情報集約手段９との間のＰ２Ｐ接続によって、集合玄関機３を介して前記来訪者と通話をすることができる。
【００５１】
その後、前記居住者がアプリケーション１４におけるインターフェース上で、前記住設備の操作として集合玄関機３の解錠操作を選択すると、アプリケーション１４が住設備操作手段１４ｃとしてユーザ端末１３を機能させ、イベント情報集約手段９に当該解錠操作の指示を通知する。イベント情報集約手段９の住設備操作指示手段９ｃは、ユーザ端末１３から取得したアプリケーション１４による集合玄関機３の解錠操作の通知に基づいて、集合玄関機３に対して当該解錠操作を実行するためのコマンドを発行する。集合玄関機３はイベント情報集約手段９からの前記解錠操作のコマンドに基づいて、オートロックを解錠する。
【００５２】
情報閲覧手段１４ｂによるセッション要求に対しては、例えば上述した荷物の預入についてのイベント情報であって、居室番号及び収容部の番号が関連付けられたイベント情報を取得するので、前記居住者は前記荷物の預入があったことを知ることができる。
【００５３】
その後、前記居住者がアプリケーション１４におけるインターフェース上で、前記住設備の操作として荷受用ボックス装置４の開閉操作を選択すると、アプリケーション１４が住設備操作手段１４ｃとしてユーザ端末１３を機能させ、イベント情報集約手段９に当該開閉操作の指示を通知する。イベント情報集約手段９の住設備操作指示手段９ｃは、ユーザ端末１３から取得したアプリケーション１４による荷受用ボックス装置４の開閉操作の通知に基づいて、荷受用ボックス装置４に対して当該開閉操作を実行するためのコマンドを発行する。荷受用ボックス装置４はイベント情報集約手段９からの前記開閉操作のコマンドに基づいて、収容部のロックを解錠する。この場合、前記居住者は、荷受用ボックス装置４で直接開閉操作をすることなく、イベント情報集約手段９とのＰ２Ｐ通信によってユーザ端末１３側で開閉操作をすることになる。
【００５４】
また、防犯設備６による防犯設備作動についてのイベント情報を取得した場合において、前記居住者がアプリケーション１４におけるインターフェース上で、前記住設備の操作として例えば防犯設備６の警備処理の解除操作を選択すると、アプリケーション１４が住設備操作手段１４ｃとしてユーザ端末１３を機能させ、イベント情報集約手段９に当該解除操作の指示を通知する。イベント情報集約手段９の住設備操作指示手段９ｃは、ユーザ端末１３から取得したアプリケーション１４による防犯設備６の警備処理の解除操作の通知に基づいて、防犯設備６に対して当該警備処理の解除操作を実行するためのコマンドを発行する。防犯設備６はイベント情報集約手段９からの前記警備処理の解除操作のコマンドに基づいて、警備処理を解除する。
【００５５】
このように、イベント情報集約手段９のセッション生成手段９ｂがユーザ端末１３との間でＰ２Ｐによるセッションを確立した後、イベント情報集約手段９とユーザ端末１３との間で、ユーザ端末１３に対してイベント情報を通知するだけでなく、ユーザ端末１３から住設備の操作指示をイベント情報集約手段９が受け付けて、前記住設備と連携することができる。
【００５６】
なお、上記の他、アプリケーション１４は自動応答手段１４ｃとしてユーザ端末１３を機能させることもできる。例えば、ユーザ端末１３がサーバ装置１２から前記来訪者の呼出についてのイベント情報に関する前記プッシュ通知を受けた場合、アプリケーション１４が自動応答手段１４ｃとしてユーザ端末１３を機能させ、予め設定されている音声等による自動応答処理を行うためのセッションを要求する。イベント情報集約手段９による上記セッション確立後、ユーザ端末１３から予め設定されている前記居住者が不在時の応答メッセージをイベント情報集約手段９に送信する。前記来訪者はイベント情報集約手段９を介して前記居住者が不在であることをイベント情報生成装置２で知ることができる。
【００５７】
このように、本実施形態では、既設のイベント情報生成装置２に対して、ユーザ端末１３と通信を行うイベント情報集約手段９をインターフェースとして追加し、取り扱えるデータを増やしている。したがって、住戸以外のどの場所でもインターネット接続環境があれば利用できるインターホンシステムとなっている。
【００５８】
また、本実施形態では、従来のクライアント−サーバ方式とは異なり、ＷｅｂＲＴＣを使用したＰ２Ｐ型の通信ネットワーク１１ｂによってイベント情報集約手段９との間で直接情報の送受信を行い、サーバ装置１２はイベント情報集約手段９とユーザ端末１３をペアリングするのみで、その後のデータ送受信には関与しない。また、ＷｅｂＲＴＣを使用することにより通信量の削減（圧縮）と分散（一極集中回避）を行う。したがって、住戸あたりの情報通信量が小さく、分散された情報送受信を行うことができ、低速回線でもユーザ端末１３とのセッション開始時に音声、映像、画像、テキスト等のデータを安定した品質で送信できるインターホンシステムとなっている。
【００５９】
また、受動的な状態（待受け状態）の利用者（居住者）に対して、マンション等の共用の情報と居住者固有の情報（居住住戸へのインターホン呼出等）を発信するので、マンション等のユーティリティとして日常に根差したインターホンシステムとなっている。
【００６０】
また、ＷｅｂＲＴＣを使用したＰ２Ｐ型の通信ネットワーク１１ｂを利用することで、通信経路上の各種情報を暗号化し、セキュリティの確保を担保したインターホンシステムとなっている。
【００６１】
なお、本実施形態では、イベント情報集約手段９をアパート、マンション、等の集合住宅の共用部に設置されるインターホン装置（イベント情報生成装置２）に接続した形態としているが、図２に示すように、集合住宅の専有部である各住戸に設置される住戸インターホン装置８に接続した形態のインターホンシステム１Ｂとすることもできる。このような形態でも、イベント情報生成装置２が生成した各種イベント情報がインターホン制御装置７の制御処理によって住戸インターホン装置８に出力され、当該イベント情報をイベント情報集約手段９が集約し、前記ＷｅｂＲＴＣを使用したＰ２Ｐ型の通信ネットワーク１１ｂによってイベント情報集約手段９とユーザ端末１３との間で直接イベント情報の送受信が可能となる。
【００６２】
［インターホンシステムの処理フロー］
図３を参照して本実施形態のインターホンシステム１Ａの処理フローを説明する。この処理フローでは、マンションの住戸に居住する居住者に対するイベントとして来訪者による呼出を例とする。
【００６３】
（Ｓ１０１）
イベント情報生成装置２を構成する集合玄関機３において、来訪者が図示していない居室を選択して呼出操作を行う操作部で居室番号を入力することで、居住者に対する来訪者の呼出についてのイベント情報であって、居室番号が関連付けられたイベント情報が生成される。生成された前記イベント情報は、イベント情報生成装置２を構成するインターホン制御装置７の制御処理によってイベント情報集約手段９に出力される。
【００６４】
（Ｓ１０２）
イベント情報集約手段９は、イベント情報生成装置２から前記イベント情報を取得して集約する。情報送受信手段９ａは、前記イベント情報を取得した旨を通知する情報に当該イベント情報に関連付けられていた居室番号に関する情報を付帯させてサーバ装置１２に送信する。
【００６５】
（Ｓ１０３）
サーバ装置１２は、イベント情報集約手段９から前記取得した情報に付帯している前記居室番号に関する情報を取得する。マッチング手段１２ｂは、イベント情報集約手段９から取得した前記居室番号と一致する居室番号を含む居住者のアカウントを記憶手段１２ａから取得して、前記来訪者による呼出についてのイベントの発生を含むプッシュ通知を送信すべき前記居住者のアカウントを特定する。
【００６６】
（Ｓ１０４）
プッシュ通知手段１２ｃは、特定された前記居住者のアカウントのユーザ端末１３に前記プッシュ通知を送信する。
【００６７】
（Ｓ１０５、Ｓ１０６）
前記居住者が前記来訪者と通話するため、アプリケーション１４におけるインターフェース上で通話を選択することで、アプリケーション１４が通話手段１４ａとしてユーザ端末１３を機能させ、イベント情報集約手段９にアクセスして集合玄関機３を介して来訪者と通話処理を行うためのセッションを要求する。
【００６８】
（Ｓ１０７）
イベント情報集約手段９のセッション生成手段９ｂは、ユーザ端末１３から取得した前記セッション要求に基づいて、ユーザ端末１３に前記イベント情報を送信することが可能なセッションを生成し、ユーザ端末１３との間でＰ２Ｐによるセッションを確立する。
【００６９】
（Ｓ１０８、Ｓ１０９）
前記セッション確立後、イベント情報集約手段９の情報送受信手段９ａは、ユーザ端末１３に前記イベント情報を送信する。  
ユーザ端末１３では、集合玄関機３が備えるカメラ３ｃが撮影している前記来訪者を含むエントランスの映像が含まれているイベント情報を取得するので、前記居住者はユーザ端末１３とイベント情報集約手段９との間のＰ２Ｐ接続によって前記来訪者と通話をすることができる。
【００７０】
（Ｓ１１０）
前記居住者が前記来訪者を確認後、前記住設備の操作として集合玄関機３のオートロックの解錠を行う場合、前記居住者がアプリケーション１４におけるインターフェース上で集合玄関機３の解錠操作を選択すると、アプリケーション１４が住設備操作手段１４ｃとしてユーザ端末１３を機能させ、イベント情報集約手段９に当該解錠操作の指示を通知する。
【００７１】
（Ｓ１１１）
イベント情報集約手段９の住設備操作指示手段９ｃは、ユーザ端末１３から取得したアプリケーション１４による集合玄関機３の解錠操作の通知に基づいて、集合玄関機３に対して当該解錠操作を実行するためのコマンドを発行する。
【００７２】
（Ｓ１１２）
集合玄関機３はイベント情報集約手段９からの前記解錠操作のコマンドに基づいて、オートロックを解錠する。
【００７３】
以上、添付図面を参照して本発明の実施形態を説明したが、本発明はかかる実施形態に限定されるものではなく、特許請求の範囲の記載から把握される技術的範囲において種々に変更可能である。
【符号の説明】
【００７４】
１Ａ、１Ｂ  インターホンシステム
２  イベント情報生成装置
３  集合玄関機
４  荷受用ボックス装置
５  緊急通報設備
６  防犯設備
７  インターホン制御装置
８  住戸インターホン装置
９  イベント情報集約手段
９ａ  情報送受信手段
９ｂ  セッション生成手段
９ｃ  住設備操作指示手段
１０  ルータ
１１ａ、１１ｂ  通信ネットワーク
１２  サーバ装置
１２ａ  記憶手段
１２ｂ  マッチング手段
１２ｃ  プッシュ通知手段
１２ｄ  広告情報作成手段
１３  ユーザ端末
１４  アプリケーション
【図１】
2019165370.tif 000003
【図２】
2019165370.tif 000004
【図３】
2019165370.tif 000005
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者のアカウントであって、前記居室番号が関連付けられているアカウントを記憶している記憶手段と、
前記イベント情報集約手段から前記イベント情報に関連付けられている前記居室番号を取得して、当該取得した居室番号に基づいて、前記プッシュ通知を送信すべき前記居住者のアカウントを特定するマッチング手段と、
特定された前記アカウントの前記ユーザ端末に前記プッシュ通知を送信するプッシュ通知手段と、を備え、
前記ユーザ端末は、
前記サーバ装置から受信した前記プッシュ通知に基づいて、前記イベント情報集約手段と直接接続することを要求するセッション要求手段を備え、
前記イベント情報集約手段は、
前記ユーザ端末から取得したセッション要求に基づいて、前記ユーザ端末に前記イベント情報を送信することが可能なセッションを生成するセッション生成手段と、
前記セッション生成後、前記ユーザ端末に前記イベント情報を送信する情報送信手段と、を備え、
前記ユーザ端末と前記イベント情報集約手段とはＷｅｂＲＴＣを使用したＰ２Ｐ型の通信ネットワークで接続される
インターホンシステム。
【請求項２】
前記イベント情報生成装置は、
インターホン機能を備える住設備である集合玄関機、荷受用ボックス装置、緊急通報を発信する緊急通報設備、防犯設備から一又は複数が選択される
請求項１記載のインターホンシステム。
【請求項３】
前記ユーザ端末は、前記Ｐ２Ｐ型の通信ネットワークを介して前記住設備を操作する操作手段を備え、
前記イベント情報集約手段は、前記ユーザ端末の前記操作手段による前記住設備の操作指示を、前記イベント情報生成装置に送信する操作指示手段を備える
請求項２記載のインターホンシステム。
【請求項４】
前記サーバ装置の前記記憶手段は、前記居住者の属性に対応した広告情報を記憶しており、
前記サーバ装置は、前記マッチング手段によって特定された前記居住者のアカウントの前記ユーザ端末に送信する前記プッシュ通知に、前記居住者の属性に対応した前記広告情報を付帯させて前記ユーザ端末に送信する広告情報作成手段を備える
請求項１〜３の何れか一項に記載のインターホンシステム。
【手続補正２】
【補正対象書類名】明細書
【補正対象項目名】００１１
【補正方法】変更
【補正の内容】
【００１１】
［１］
住戸に居住する居住者に対するイベントの発生についてのイベント情報であって、前記住戸に割り当てられている居室番号が関連付けられているイベント情報を生成するイベント情報生成装置と、
生成された前記イベント情報を前記イベント情報生成装置から取得して集約するイベント情報集約手段と、
前記イベントの発生を伝えるプッシュ通知を、通信ネットワークを介して前記居住者が使用しているユーザ端末に送信するサーバ装置とで構成され、
前記サーバ装置は、
前記居住者のアカウントであって、前記居室番号が関連付けられているアカウントを記憶している記憶手段と、
前記イベント情報集約手段から前記イベント情報に関連付けられている前記居室番号を取得して、当該取得した居室番号に基づいて、前記プッシュ通知を送信すべき前記居住者のアカウントを特定するマッチング手段と、
特定された前記アカウントの前記ユーザ端末に前記プッシュ通知を送信するプッシュ通知手段と、を備え、
前記ユーザ端末は、
前記サーバ装置から受信した前記プッシュ通知に基づいて、前記イベント情報集約手段と直接接続することを要求するセッション要求手段を備え、
前記イベント情報集約手段は、
前記ユーザ端末から取得したセッション要求に基づいて、前記ユーザ端末に前記イベント情報を送信することが可能なセッションを生成するセッション生成手段と、
前記セッション生成後、前記ユーザ端末に前記イベント情報を送信する情報送信手段と、を備え、
前記ユーザ端末と前記イベント情報集約手段とはＷｅｂＲＴＣを使用したＰ２Ｐ型の通信ネットワークで接続される
インターホンシステムである。